(57)【要約】【課題】イメージスキャナ等による商品の梱包箱の模造を防ぎ、正規品と模造品とを容易に区別することができる梱包箱を提供することを目的とする。【解決手段】本発明の梱包箱１は、展開状態の紙材を紙材に形成された折り目９に沿って折り曲げて内部に収納物を収納可能な箱状に組み立てられる梱包箱１であって、梱包箱１の少なくとも１つの継代部４が、模造品との区別のために印刷された印刷部５を備えた構成を有している。【選択図】　図１
2004001860.tif 000002
【特許請求の範囲】
【請求項１】
展開状態の紙材を前記紙材に形成された折り目に沿って折り曲げて内部に収納物を収納可能な箱状に組み立てられる梱包箱であって、前記梱包箱の少なくとも１つの継代部が、模造品との区別のために印刷された印刷部を備えたことを特徴とする梱包箱。
【請求項２】
前記梱包箱の組み立て時に前記継代部が接着される継代接着部を有し、前記印刷部が前記継代部の前記継代接着部との接着面に印刷されていることを特徴とする請求項１に記載の梱包箱。
【発明の詳細な説明】
【０００１】
【発明の属する技術分野】
本発明は、普通紙ファクシミリ装置等の消耗品であるインクフィルム等の商品を梱包する梱包箱に関し、特に、商品の正規品と模造品とを区別することができる梱包箱に関する。
【０００２】
【従来の技術】
近年、ある商品に対して、その商品の正規品を模造して製造された模造品が市場に出回っている。特に、普通紙ファクシミリ装置等の消耗品であるインクフィルム等の商品に対して、商品の正規品を模造して製造された模造品が多く市場に出回っている。このような模造品は、見かけ上は正規品と区別することが困難な程精巧に模造し製造されているが、一般的に商品の品質は低下し不良品等も多い。したがって、このような模造品が市場に出回ることにより、正規品を製造又は販売している業者は売上等に大きな損害を受けると共に、消費者に自社ブランドの品質の低下を誤認され、自社ブランドの信頼性が低下し多大な不利益を受ける。したがって、商品が市場に出る前に、商品の正規品と模造品とを区別することが望まれている。
【０００３】
ところで、一般的に店頭等で販売される商品は、表面にその商品を製造したメーカのメーカ名やロゴ、その商品の外観の写真やイラスト、その商品の情報等が印刷された梱包箱に梱包されている。これは上述した模造品においても同様であり、梱包箱は消費者が商品を購入する際の商品選択時にまず目に入るものであるので、模造品を梱包する梱包箱として、梱包する商品と同様に正規品を精巧に模造して製造されたものが用いられる。
【０００４】
模造品の梱包箱を製造する場合は、正規品の梱包箱の表面の印刷をイメージスキャナ等により読み取り、読み取った画像を印刷することで、模造品の梱包箱を製造している。通常、イメージスキャナ等により読み取り、読み取った画像を印刷した場合、元の画像に比べ幾分劣化するため、従来は視認によりこの劣化を判別することで正規品と模造品の区別を行っていた。
【０００５】
【発明が解決しようとする課題】
しかしながら、上記従来の技術では、以下のような課題を有していた。
（１）近年、イメージスキャナの高性能化により、模造品の梱包箱が極めて精巧に且つ容易に模造され製造されるため、視認により正規品と模造品の梱包箱を区別することが困難であるという課題を有していた。
（２）また、梱包箱の表面に添付されるシリアル番号等が印刷されたシリアル番号シール等も精巧に模造されるため、正規品と模造品の梱包箱を区別することが困難であるという課題を有していた。
【０００６】
本発明は上記従来の課題を解決するもので、イメージスキャナ等による商品の梱包箱の模造を防ぎ、正規品と模造品とを容易に区別することができる梱包箱を提供することを目的とする。
【０００７】
【課題を解決するための手段】
上記課題を解決するために本発明の梱包箱は、展開状態の紙材を前記紙材に形成された折り目に沿って折り曲げて内部に収納物を収納可能な箱状に組み立てられる梱包箱であって、前記梱包箱の少なくとも１つの継代部が、模造品との区別のために印刷された印刷部を備えた構成を有している。
【０００８】
この構成により、イメージスキャナ等による商品の梱包箱の模造を防ぎ、正規品と模造品とを容易に区別することができる梱包箱を提供することができる。
【０００９】
【発明の実施の形態】
本発明の請求項１に記載の梱包箱は、展開状態の紙材を前記紙材に形成された折り目に沿って折り曲げて内部に収納物を収納可能な箱状に組み立てられる梱包箱であって、前記梱包箱の少なくとも１つの継代部が、模造品との区別のために印刷された印刷部を備えた構成を有している。
【００１０】
この構成により、以下のような作用を有する。
（１）箱状に組み立てられた際に視認することができない継代部に印刷部が印刷されているため、イメージスキャナ等により印刷部の印刷を読み取ることができず、印刷部の印刷を模造されることを防ぐことができる。
（２）梱包箱の表面すなわち組み立て時に視認できる部分の印刷が精巧に模造された場合であっても、継代部に印刷された印刷部は模造することができないので、印刷部の有無により正規品と模造品とを容易に区別することができる。
【００１１】
ここで、印刷部としては、種々の文字や図形、或いは文字や図形を羅列したもの等が用いられる。
【００１２】
本発明の請求項２に記載の発明は、請求項１に記載の梱包箱であって、前記梱包箱の組み立て時に前記継代部が接着される継代接着部を有し、前記印刷部が前記継代部の前記継代接着部との接着面に印刷されている構成を有している。
【００１３】
この構成により、請求項１の作用に加え、以下のような作用を有する。
（１）印刷部が継代部の継代接着部との接着面に印刷されているので、梱包箱を模造する際に組み立てられた梱包箱を展開して継代部の印刷部をイメージスキャナ等で読み取ろうとした場合、継代部と継代接着部との接着面の分離による剥れ等により印刷部が傷つくため、印刷部を正確に読み取ることができず模造を防ぐことができる。
【００１４】
以下に本発明の一実施の形態について説明する。
【００１５】
（実施の形態１）
図１は本実施の形態１における梱包箱の展開状態を示す表側平面図であり、図２は本実施の形態１における梱包箱の展開状態を示す裏側平面図であり、図３は本実施の形態１における梱包箱の組み立て途中の状態を示す斜視図である。
【００１６】
図中、１は本実施の形態１における梱包箱、２ａ、２ｂ、２ｃ、２ｄは梱包箱１の側面を形成する側面板、３ａ、３ｂ、３ｃ、３ｄは各々側面板２ａ、２ｂ、２ｃ、２ｄの底面側に連設された底面フラップ片、４は側面板２ａの側面側に連設された継代部、４ａは継代部４の後述の継代接着部との接着面、５は継代部４の表側に印刷された印刷部、６は側面板２ａの上面側に連設された蓋板、７は蓋板６に連設された差込フラップ部、８ａ、８ｂは各々側面板２ｂ、２ｄの上面側に連設されたフラップ部、９は梱包箱１の組み立て時に折り曲げられる折り目である。なお、折り目９は、側面板２ａ、２ｂ、２ｃ、２ｄ、底面フラップ片３ａ、３ｂ、３ｃ、３ｄ、継代部４、蓋板６、差込フラップ部７、フラップ部８ａ、８ｂの各々の連設部分に形成されている。１０は側面板２ｄの裏側に形成され継代部４が接着される継代接着部、１０ａは継代接着部１０の接着面である。
【００１７】
梱包箱１の表側には、梱包箱１に内封される商品の外観のイラストや商品の情報等が印刷されている。特に、側面板２ａ、２ｃ、２ｄの表側には商品の製造メーカのメーカ名Ａが印刷されている。また、側面板２ｃの表側には、その商品の固有の識別番号であるシリアル番号が印刷されたシリアル番号シールＢが添着されている。
【００１８】
印刷部５は、種々の文字や図形、或いは文字や図形を羅列したものであり、本実施の形態１においては、継代部４の表側に印刷された直線状の図形を用いた。
【００１９】
以上のように構成された本発明の実施の形態１における梱包箱について、その組み立て動作を図を用いて説明する。
【００２０】
梱包箱１の組み立て時には、まず、側面板２ａ、２ｂ、２ｃ、２ｄが各々折り目９で表面側が山折りとなるように四角柱状に折り曲げられる。次に、継代部４の接着面４ａと継代接着部１０の接着面１０ａが接着される。このとき、継代部４に印刷された印刷部５は継代接着部１０により覆われ外部から視認することはできない。これにより、組み立てられた際に視認することができない継代部４に印刷部５が印刷されているため、イメージスキャナ等により印刷部５の印刷を読み取ることができず、印刷部５の印刷を模造されることを防ぐことができると共に、梱包箱１を模造する際に組み立てられた梱包箱１を展開して継代部４の印刷部５をイメージスキャナ等で読み取ろうとした場合、継代部４と継代接着部１０との接着面４ａ、１０ａの分離による剥れ等により印刷部５が傷つくため、印刷部５を正確に読み取ることができず模造を防ぐことができる。
【００２１】
続いて、底面フラップ片３ａ、３ｂ、３ｃ、３ｄが、各々折り目９で表面側が山折りとなるように折り曲げられる。底面フラップ片３ａ、３ｂ、３ｃ、３ｄは各々互いに係着され梱包箱１の底面を形成する。
【００２２】
蓋板６、フラップ部８ａ、８ｂは、フラップ部８ａ、８ｂを梱包箱１の内部側となるように各々折り目９で表面側が山折りとなるように折り曲げられ、最後に蓋板６の差込フラップ部７が側面板２ｃの蓋板側から梱包箱１の内部側へ差し込まれる。
【００２３】
このようにして、梱包箱１が組み立てられる。内部に商品等の梱包物を内封する場合は、蓋板６を開いて内部に梱包物を収納した後、差込フラップ部７を差し込んで閉じる。
【００２４】
以上のように本実施の形態１における梱包箱は構成されているので、梱包箱１を箱状に組み立てた際に視認することができない継代部４に印刷部５が印刷されているため、イメージスキャナ等により印刷部５の印刷を読み取ることができず、印刷部４の模造を防ぐことができるという作用を有する。
【００２５】
また、梱包箱１の表側に印刷されたメーカ名Ａや添着されたシリアル番号シールＢは高性能のイメージスキャナ等により模造されることがあるが、印刷部５は模造されることがないため、印刷部５の有無により正規品と模造品とを容易に区別することができるという作用を有する。
【００２６】
また、印刷部５が継代部４の継代接着部１０との接着面４ａに印刷されているので、梱包箱１を模造する際に組み立てられた梱包箱１を展開して継代部４の印刷部５をイメージスキャナ等で読み取ろうとした場合、継代部４と継代接着部１０との接着面４ａ、１０ａの分離による剥れ等により印刷部５が傷つくため、印刷部５を正確に読み取ることができず模造を防ぐことができるという作用を有する。
【００２７】
なお、本発明の梱包箱は、実施の形態１において説明したものに限られるものではない。特に、梱包箱の展開図は図１に示したものに限られるものではなく、所定の形状の梱包箱１を形成するために種々の形状の展開図を用いることができる。
【００２８】
【発明の効果】
以上のように、本発明の梱包箱によれば、以下のような有利な効果が得られる。
【００２９】
本発明の請求項１に記載の発明によれば、以下のような効果を有する。
（１）箱状に組み立てられた際に視認することができない継代部に印刷部が印刷されているため、イメージスキャナ等により印刷部の印刷を読み取ることができず、印刷部の印刷を模造されることを防ぐことができる梱包箱を提供することができる。
（２）梱包箱の表面すなわち組み立て時に視認できる部分の印刷が精巧に模造された場合であっても、継代部に印刷された印刷部は模造することができないので、印刷部の有無により正規品と模造品とを容易に区別することができる梱包箱を提供することができる。
【００３０】
本発明の請求項２に記載の発明によれば、請求項１の効果に加え、以下のような効果を有する。
（１）印刷部が継代部の継代接着部との接着面に印刷されているので、梱包箱を模造する際に組み立てられた梱包箱を展開して継代部の印刷部をイメージスキャナ等で読み取ろうとした場合、継代部と継代接着部との接着面の分離による剥れ等により印刷部が傷つくため、印刷部を正確に読み取ることができず模造を防ぐことができる梱包箱を提供することができる。
【図面の簡単な説明】
【図１】実施の形態１における梱包箱の展開状態を示す表側平面図
【図２】実施の形態１における梱包箱の展開状態を示す裏側平面図
【図３】実施の形態１における梱包箱の組み立て途中の状態を示す斜視図
【符号の説明】
１　梱包箱
２ａ、２ｂ、２ｃ、２ｄ　側面板
３ａ、３ｂ、３ｃ、３ｄ　底面フラップ片
４　継代部
４ａ　接着面
５　印刷部
６　蓋板
７　差込フラップ部
８ａ、８ｂ　フラップ部
９　折り目
１０　継代接着部
１０ａ　接着面
【図１】
2004001860.tif 000003
【図２】
2004001860.tif 000004
【図３】
2004001860.tif 000005